(57)【特許請求の範囲】
【請求項１】
隣り合う床板の横溝に跨って貫入した状態で床板を支持材に固定する固定装置であって、
横架部の下面中央にウェブを接合し、中央にビス穴を有する断面Ｔ字形の固定具本体と、
前記固定具本体の横架部に外装可能な断面形状がコ字形を呈し、中央にビス穴を有する外装板とを具備し、
前記横架部の上面に係止用の仮止角を突設し、
前記外装板の両側端に前記横架部の下面から下方へ突出する固定爪を形成し、
前記固定具本体および外装板の傾倒を防止し得るように、係止用の仮止角と固定爪を床板の横溝の上下面に当接可能に形成したことを特徴とする、
固定装置。
【請求項２】
前記外装板が固定具本体より硬質であることを特徴とする、請求項１に記載の固定装置。
【請求項３】
前記外装板が横架部の上面を被覆する当板部と、当板部の両側を直角に屈曲して形成した一対の側脚部とを具備し、前記側脚部の下辺に鋸歯状の固定爪を形成したことを特徴とする、請求項１または２に記載の固定装置。
【請求項４】
接着または嵌着により前記外装板を固定具本体に固着したことを特徴とする、請求項１乃至３の何れか一項に記載の固定装置。
【発明の詳細な説明】
【技術分野】
【０００１】
本発明は、例えば、公園等に設置されている屋外デッキや室内フローリング等の床板を根太等の支持材に固定するための床材の固定装置に関するものである。
【背景技術】
【０００２】
両側面に連続した横溝を有する床板の固定具が特許文献１に開示されている。
この固定具は、水平の押圧片と、この押圧片の片面中央に垂直に突設した中間片とを有する断面Ｔ字形を呈する樹脂の一体成形品であり、その中央部にビス穴を有している。
固定具の水平に張り出した各押圧片を隣り合う床板の横溝内に遊嵌し、隣り合う床板の間に形成した間隙を利用して工具を差し込み、固定具を根太にビス止めすることで隣り合う二枚の床板を固定している。
【先行技術文献】
【特許文献】
【０００３】
【特許文献１】特開２００８−２８５９２９号公報（図７）
【発明の概要】
【発明が解決しようとする課題】
【０００４】
従来の床板の固定技術にはつぎのような問題点がある。
＜１＞従来の固定具は床板に対する自立機能を有していないため、固定具の押圧片の片方を床板の横溝へ嵌入すると固定具が外方へ傾倒してしまい、一枚の床板に対して固定具を安定した姿勢で取り付けすることができない。
そのため、様々な工夫をしながら隣り合う床板の間に固定具を配置して固定しなければならず、床板の固定作業に多くの時間と労力を要する。
＜２＞従来の固定具は樹脂製であるため、ビスを強固に締め付けるとビスの頭部が固定具に陥没してしまい、固定具による床板の固定力が弱くなる。
＜３＞床板が樹脂材を含む場合は床材の温度収縮力が固定具に繰り返し作用するため、経時的にビスが徐々に緩む。
そのため、長期間経過すると、床板のガタつき、異音の発生、床板の横ずれ等といった多くの問題が発生する。
＜４＞金属材料のみで形成した固定具も市販されているが、その形状と構造が複雑であるためにコストが高く、固定具の設置に多くの手数と時間を要し、さらに取扱中に固定具が変形し易いといった問題を有する。
【０００５】
本発明は以上の点に鑑みて成されたもので、その目的とするところは、床板に対して安定した姿勢で仮固定ができて、床板の固定作業性を改善できる、床材の固定装置を提供することにある。
さらに本発明の他の目的は、長期に亘って床板を安定して固定できる、床材の固定装置を提供することにある。
【課題を解決するための手段】
【０００６】
本発明は、隣り合う床板の横溝に跨って貫入した状態で床板を支持材に固定する固定装置であって、横架部の下面中央にウェブを接合し、中央にビス穴を有する断面Ｔ字形の固定具本体と、前記固定具本体の横架部に外装可能な断面形状がコ字形を呈し、中央にビス穴を有する外装板とを具備し、前記横架部の上面に係止用の仮止角を突設し、前記外装板の両側端に前記横架部の下面から下方へ突出する固定爪を形成し、前記固定具本体および外装板の傾倒を防止し得るように、係止用の仮止角と固定爪を床板の横溝の上下面に当接可能に形成したことを特徴とする。
他の実施形態において、前記外装板が固定具本体より硬質であり、外装板を金属素材で形成し、固定具本体を樹脂素材で形成する。
他の実施形態において、前記外装板は横架部の上面を被覆する当板部と、当板部の両側を直角に屈曲して形成した一対の側脚部とを具備し、前記側脚部の下辺に鋸歯状の固定爪を形成する。
他の実施形態において、接着または嵌着により前記外装板を固定具本体に固着する。
【発明の効果】
【０００７】
本発明はつぎの効果を得ることができる。
＜１＞固定装置が床板の横溝に対して正常の姿勢を維持したまま仮固定できるので、床板の固定作業性を改善できて、短時間で簡単に固定することができる。
＜２＞固定具本体に硬質の外装板を外装した構造であるため、ビス止めしたときに固定具本体の陥没を防止しつつ、締付力を分散して床板へ伝えることができる。
したがって、長期に亘り床板を安定して固定できる。
【図面の簡単な説明】
【０００８】
【図１】隣り合う床板の間に設置予定の固定装置の斜視図
【図２】固定装置の分解組立図
【図３】床材へのビスの仮固定状態を説明するための部分断面図
【図４】ビスによる床材の本固定状態を説明するための部分断面図
【発明を実施するための形態】
【０００９】
以下図面を参照しながら本発明の実施の形態について説明する。
【００１０】
＜１＞固定装置。
図１に隣り合う床板１０，１０の間に設置予定の固定装置２０の斜視図を示し、図２に固定装置２０の分解組立図を示す。
隣り合う床板１０，１０に跨って固定する固定装置２０は、樹脂で一体成形した断面Ｔ字形の固定具本体３０と、硬質材で断面コ字形に形成し、固定具本体３０の水平部に外装可能な外装板４０とを具備する。
【００１１】
＜２＞固定具本体。
固定具本体３０は矩形の横架部３１と、横架部３１の下面中央に垂設した矩形のウェブ３５とを有する断面Ｔ字形を呈する樹脂の一体成形品であり、その中央に横架部３１とウェブ３５の中央を縦貫したビス穴３２を有している。
【００１２】
＜２．１＞横架部。
横架部３１は隣り合う床板１０，１０の横溝１１，１１に跨って嵌入可能な板体である。
横架部３１の上面の隅部には複数の仮止角３３を突出するとともに、横架部３１の上面のビス穴３２を間に挟んでその両側には外装板４０を位置決めするための複数の突起３４を突出している。
仮止角３３は床板１０の横溝１１内に嵌合させて固定装置２０を仮留めするための突起体であり、少なくも横架部３１の上面の片側にひとつ以上あればよい。
また本例では仮止角３３が先鋭形状である場合について示すが、その他に柱状、半球状等の形状であってもよく、要は床板１０の横溝１１の上面と当接可能な形状であればよい。
【００１３】
＜２．２＞ウェブ。
ウェブ３５は隣り合う床板１０，１０間を所定の間隔に保つスペーサとしての機能を有する。したがって、ウェブ３５の板厚は床板１０の設置間隔と一致する。
【００１４】
＜３＞外装板。
外装板４０は仮止角３３と干渉せずに横架部３１に外装可能な断面コ字形の硬質板であり、例えばステンレス、鋼等の金属板、又は硬質樹脂等で形成する。
外装板４０は横架部３１の上面を被覆する矩形の当板部４１と、当板部４１の両側を直角に屈曲して形成した一対の側脚部４５，４５とを具備する。
【００１５】
＜３．１＞当板部。
当板部４１の中央にはビス穴４２を有するとともに、ビス穴４２を間に挟んでその両側には位置決孔４３が形成されている。
外装板４０を横架部３１の上面にセットしたとき、両ビス穴３２，４２は一致し、位置決孔４３は突起３４と嵌合可能である。
当板部４１は接着または嵌着等により固定具本体３０の横架部３１に一体に固着されている。
【００１６】
＜３．２＞側脚部。
側脚部４５，４５は床板１０の横溝１１の下面と当接して床板１０を弾力的に固定するための板体である。
側脚部４５の下面には鋸歯状の固定爪４６を形成していて、固定爪４６は横架部３１の下面から下方へ向けて僅かに（１〜２ｍｍ程度）突出する。
側脚部４５，４５は固定具本体３０に対して弾力的に取り付けてある。
弾力的とは、側脚部４５の弾性変形、又は当板部４１と側脚部４５との弾性変形により達成できる。
【００１７】
［床板の固定方法］
つぎに固定装置２０を用いた床板１０の固定方法について説明する。
【００１８】
＜１＞固定装置の仮固定。
図３を参照して説明すると、本発明では床板１０Ａの側方から断面Ｔ字形の固定装置２０を押し込むだけの簡単な操作で以て固定装置２０を仮固定することができる。
すなわち、固定装置２０の横架部３１の一方を外装板４０と共に床板１０Ａの横溝１１内へ押し込むと、固定装置２０の上下に突出した仮止角３３と固定爪４６が床板１０Ａの横溝１１の上下面に当接して位置決めされる。
固定装置２０が傾倒しようとしても、固定装置２０の上下に突出した仮止角３３と固定爪４６が床板１０Ａの横溝１１の上下面に当接して固定装置２０の傾倒を防止するので、固定装置２０は横架部３１の水平状態を保ったまま仮固定状態を維持することができる。
【００１９】
＜２＞他の床板との仮固定。
図４を参照して説明すると、固定装置２０を仮固定した床板１０Ａの側方へ向けて別途の床板１０Ｂを接近させ、床板１０Ｂの横溝１１内に固定装置２０の外装板４０を外装した横架部３１の他方を嵌入して、固定装置２０と他方の床板１０Ｂの間を仮固定する。
両床板１０Ａ，１０Ｂの側面が固定装置２０のウェブ３５に当接するまで床板１０Ｂを押し込んで、両床板１０Ａ，１０Ｂを並列状に配置する。
これにより、固定装置２０の外装板４０を外装した横架部３１の両側が隣り合う床板１０，１０の横溝１１，１１に跨って配置される。
【００２０】
＜３＞ビス止め本固定。
図４に示すように、両床板１０Ａ，１０Ｂの間に形成された目地隙間を通じてビス２１を挿入し、仮留め状態の固定装置２０を貫挿したビス２１をねじ込んで根太等の支持材２３へ本固定する。
ビス２１をねじ込むことで固定装置２０全体が押し下げられ、外装板４０の下辺の固定爪４６が横溝１１，１１の下面に食い込む。
ビス２１をさらにねじ込むと、固定装置２０の横架部３１の下面が横溝１１，１１の下面に当接して隣り合う床板１０，１０を同時に押し下げる。
このように、固定装置２０の横架部３１と外装板４０の両部材が協働して隣り合う床板１０，１０の横溝１１，１１を押し下げることで固定される。
【００２１】
＜４＞固定装置の他の機能。
固定装置２０は床板１０に仮固定するだけでなく、つぎのような作用を発揮する。
＜４．１＞ビス頭部の陥没防止作用。
ビス２１をねじ込む際、ビス頭部２２に大きな応力が集中する。
本発明の固定装置２０では、ビス頭部２２が硬質の当板部４１へ当接するので、大きな締め付け力を加えても横架部３１が陥没することはない。
【００２２】
＜４．２＞締付力の分散作用。
仮に当板部４１が存在しなければ、ビス頭部２２の締付力は固定具本体３０の横架部３１の中央部分に作用するだけである。
固定装置２０は、ビス頭部２２の陥没防止機能だけでなく、荷重伝達機能を併有した当板部４１を具備している。
そのため、ビス頭部２２の締付力を、当板部４１を介して横架部３１のほぼ全体へ分散して伝達できるので、隣り合う床板１０，１０の横溝１１，１１を均等に固定することができる。
【００２３】
＜４．３＞弾力的な固定作用。
固定装置２０は弾性変形可能な外装板４０を具備している。
したがって、隣り合う床板１０，１０を弾力的に固定することができる。
殊に床板１０が樹脂を含む素材である場合には、固定装置２０が床板１０の温度変形に追従して良好な固定状態を維持することができる。
【符号の説明】
【００２４】
１０・・・・・床板
１１・・・・・横溝
２０・・・・・固定装置
２１・・・・・ビス
２２・・・・・ビス頭部
２３・・・・・支持材
３０・・・・・固定具本体
３１・・・・・横架部
３３・・・・・仮止角
３５・・・・・ウェブ
４０・・・・・外装板
４１・・・・・当板部
４５，４５・・側脚部
４６・・・・・固定爪
【図１】
0006450548.tif 000002
【図２】
0006450548.tif 000003
【図３】
0006450548.tif 000004
【図４】
0006450548.tif 000005